(57)【特許請求の範囲】
【請求項１】
プール、浴場、池等の貯水部に貯溜されている水を循環させながら固形物を除去して浄化し、更に消毒を行う貯留水浄化設備であって、前記貯水部に貯留されている水を当該貯水部から取り出して当該貯水部へ戻す主循環系統と、前記主循環系統より貯溜水を取入れオゾン処理して再び主循環系統に戻すオゾン処理装置とを具備しており、前記オゾン処理装置は前記オゾン処理を行う処理装置本体と、該処理装置本体に付設された浄化ユニットとからなり、該浄化ユニットは、前記処理装置本体内のオゾン処理部の下流側に、通常時に閉止されるバルブを介して接続されており、地震、渇水等の非常時に前記バルブが開放されることによりオゾン処理後の貯溜水を取入れて飲料水に浄化する構成であることを特徴とする貯留水浄化設備。
【請求項２】
前記処理装置本体における貯溜水の取入れ部と戻し部との間をバルブ付きのバイパス管により直結し、該パイパス管に備わるバルブの開放により前記処理装置本体内の戻し部からオゾン処理部へ貯留水を送るように構成したことを特徴とする請求項１に記載の貯留水浄化設備。
【請求項３】
前記貯溜水の取入れ部を、前記主循環系統における浄化部の下流側に接続し、戻し部を前記浄化部の上流側に接続したことを特徴とする請求項２に記載の貯留水浄化設備。
【発明の詳細な説明】
【０００１】
【発明の属する技術分野】
本発明はプール、浴場、池等に貯溜されている水の浄化に使用される貯溜水浄化設備、特にオゾン処理を組み合わせた貯留水浄化設備に関し、更に詳しくは震災、渇水等の非常時にその貯溜水を飲料水に浄化できる機能を有するオゾン処理装置付きの貯溜水浄化設備に関する。
【０００２】
【従来の技術】
プール、浴場、池等に貯溜されている水を浄化する浄化設備としては、濾過と消毒剤注入とを組み合わせた循環式が一般的であるが、最近では更に、浄化効果の向上を目的としてオゾン処理を組み合わせたものも使用されている。オゾン処理の特徴は、オゾンの強力な酸化殺菌作用により濁質および汚染物質を従来より大幅に減少させることができ、更には耐塩素性の微生物を殺菌、不活性化することも可能である。オゾン処理を組み合わせた従来の貯溜水浄化設備を図１に示す。
【０００３】
プール、浴場、池等の貯水部１に貯溜された水は、主循環系統２により貯水部１の底部から取出され貯水部１の側部から貯水部１に戻される。主循環系統２には、ヘアキャッチャ３、循環ポンプ４および濾過器５が設けられている。これにより、貯水部１から取出された貯溜水は、ヘアキャッチャ３により大型の固形物質が除去され、循環ポンプ４で加圧された後、濾過器５で微細な固形物質が除去され、最後に塩素剤等で消毒されて貯水部１に戻される。
【０００４】
このとき、濾過器５の上流側または下流側から貯溜水の一部が取出されてオゾン処理装置６に送られる。オゾン処理装置６は、オゾン発生器で発生したオゾンガスをエジェクタで貯溜水に注入し、その貯溜水をオゾン処理した後、ポンプ４の上流側に戻す。オゾン処理により溶解性の汚染物質の分解および耐塩素性の微生物の殺菌、不活性化が行われると共に、コロイド物質が凝集されて濾過器５に捕捉されやすい形態となる。
【０００５】
【発明が解決しようとする課題】
このようなオゾン処理を組み合わせた従来の貯溜水浄化設備は、オゾン処理を組み合わせないものよりも浄化能力が格段に高いが、震災、渇水等の非常時に浄化水を飲料水として使用することはできない。なぜなら、プール、浴場、池等の循環浄化では、消毒のために塩素等の薬剤が注入され、プールではその濃度が厚生省基準で0.４ｍｇ／リットル以上に維持されるが、消毒副生成物の残留に関心がもたれていないため、消毒副生成物の濃度が水道水の水質基準値を超える場合が少なくないからである。
【０００６】
このようなことから、貯溜水から飲料水を得ようとすると、非常用の専用浄化装置が必要になる。しかし、非常用の専用浄化装置は大型で高価である。また、浄化設備とメーカが異なるのが通例であるので、点検コストが嵩むという問題もある。
【０００７】
本発明の目的は、震災、渇水等の非常時に貯溜水から飲料水を得ることができ、しかも浄化設備の大型化、コスト増大およびメンテナンス性の悪化を可及的に回避できるオゾン処理装置付きの貯留水浄化設備を提供することにある。
【０００８】
【課題を解決するための手段】
本発明の貯留水浄化設備は、プール、浴場、池等の貯水部に貯溜されている水を循環させながら固形物を除去して浄化し、更に消毒を行う貯留水浄化設備であって、前記貯水部に貯留されている水を当該貯水部から取り出して当該貯水部へ戻す主循環系統と、前記主循環系統より貯溜水を取入れオゾン処理して再び主循環系統に戻すオゾン処理装置とを具備しており、前記オゾン処理装置は前記オゾン処理を行う処理装置本体と、該処理装置本体に付設された浄化ユニットとからなり、該浄化ユニットは、前記処理装置本体内のオゾン処理部の下流側に、通常時に閉止されるバルブを介して接続されており、地震、渇水等の非常時に前記バルブが開放されることによりオゾン処理後の貯溜水を取入れて飲料水に浄化する構成である。
【０００９】
本発明の貯留水浄化設備を用いた場合、非常時以外のとき、すなわち通常時は、浄化設備において循環浄化される貯溜水をオゾン処理装置の処理装置本体に循環させることにより、オゾン処理を組み合わせた通常の循環浄化が行われる。非常時のときは処理装置本体でオゾン処理された貯溜水を浄化ユニットに送る。オゾン処理後の貯溜水、すなわちオゾン処理水は、オゾンの強力な殺菌作用で耐塩素性微生物が殺菌、不活性され、更に消毒副生成物も分解低減されている。そのため浄化ユニットでは、オゾン処理水中に含まれる溶存オゾンを分解し、且つオゾン処理水中に残存する消毒副生成物を低減除去する程度で、飲料水を得ることができる。かくして、貯溜水から飲料水が得られ、且つ浄化ユニットは簡易で安価なものとなる。
【００１０】
溶存オゾンの分解および残存消毒副生成物の低減除去には、活性炭処理または紫外線処理を用いることができる。濁質の多い場合はメンブラフィルタ、ＵＦ膜、ＭＦ膜等の膜フィルタを組み合わせて、濁質の低減を図るのが望ましい。
【００１１】
オゾン処理装置の処理装置本体においては、エジェクタを用いて貯溜水にオゾンガスを注入するのがよい。一般にオゾンガスの注入処理では、水量が一定を保つのが好ましい。この点から、貯溜水の取入れ部と戻し部との間をバルブ付きのバイパス管により直結し、該パイパス管に備わるバルブの開放により前記処理装置本体内の戻し部からオゾン処理部へ貯留水を送るように構成するのが望ましい。これにより、飲料水の需要量（供給水量）の増減に関係なく、バイパス管を通してオゾンガス処理部に所定水量の貯溜水を送ることができる。
【００１２】
ここで取入れ部を主循環系統における浄化部の下流側に接続し、戻し部を前記浄化部の上流側に接続しておくと、前記浄化部が停止状態の場合も、浄化部上流側の戻し部からバイパス管を通して貯溜水をオゾン処理部に送り、更に浄化ユニットに送り続けることができる。
【００１３】
【発明の実施の形態】
以下に本発明の実施の形態を図示例に基づいて説明する。図２は本発明を実施した貯留水浄化設備の一例について、そのオゾン処理装置の構造を示す系統図、図３は浄化ユニットの構成例を示す模式図である。
【００１４】
本貯留水浄化設備は、図１に示した貯溜水浄化設備のオゾン処理装置６を、図２に示したオゾン処理装置に代えたものである。図２に示したオゾン処理装置は、処理装置本体１０とこれに付設された浄化ユニット２０とからなる。
【００１５】
処理装置本体１０は、従来のオゾン処理装置６と基本的に同じものであり、そのＡ点は図１中のＡ′点に、またＢ点は図１中のＢ′点にそれぞれ接続されている。この接続により、非常時以外のとき、すなわち通常時は、浄化設備の主循環系統２を流れる貯溜水が、濾過器５の上流側または下流側から取入れ弁１１を介してオゾン処理装置に取入れられる。オゾン処理装置に取入れられた貯溜水は、加圧ポンプ１２、エジェクタ１３、気液分離塔１４、逆止弁１５を順に通り、戻り弁１６より主循環系路２内のポンプ４の上流側に戻る。
【００１６】
ここでエジェクタ１３は、オゾン発生器１７からオゾンガスを供給され、そのオゾンガスを貯溜水に注入する。気液分離塔１４はオゾン分解塔１４ａを装備している。また、加圧ポンプ１２およびオゾン発生器１７は、非常時の停電に備えて非常用発電機１９と接続されている。一方、取入れ弁１１の下流側と戻り弁１６の上流側との間は、流量調節弁１８ａを備えたバイパス管１８により直結されている。
【００１７】
浄化ユニット２０は、気液分離塔１４と逆止弁１５との間に、流量調節弁２１を介して接続されている。浄化ユニット２０の内部は、図３（Ａ）に示すように、活性炭カートリッジ２２により導入水を濾過する構造であるが、図３（Ｂ）に示すように、紫外線発生器２３により導入水を処理する構造でもよい。また、図３（Ｃ）（Ｄ）に示すように、これらに加えて膜フィルタ２４を設ける構造でもよい。膜フィルタ２４は、メンブラフィルタ、ＵＦ膜、ＭＦ膜等であり、濁質が多い場合にこれを低減除去する。
【００１８】
次に、本貯留水浄化設備の運転方法について説明する。
【００１９】
通常は、オゾン処理装置の処理装置本体１０において、取入れ弁１１および戻り弁１６を開け、流量調節弁１８ａおよび２１を閉じた状態で、加圧ポンプ１２およびオゾン発生器１７を通常電源により作動させる。これにより、貯留水浄化設備の主循環系路２を流れる貯溜水が、濾過器５の上流側または下流側から処理装置本体１０に取入れられ、ここでオゾン処理されてポンプ４の上流側に戻る。かくして、浄化設備を循環する貯溜水に対して通常のオゾン処理が実施される。そして、このオゾン処理により、耐塩素性微生物が殺菌、不活性され、消毒副生成物が分解低減される。
【００２０】
震災、渇水等の非常時で、且つ電源を確保できる場合は、取入れ弁１１および流量調節弁２１を開き、戻り弁１６を閉じた状態で、浄水設備の主循環系路２を通常通り運転しながら、加圧ポンプ１２およびオゾン発生器１７を作動させる。これにより、主循環系路２を流れる貯溜水が濾過器５の上流側または下流側から取入れ弁１１を通って処理装置本体１０に取入れられ、通常通りのオゾン処理を受けた後、流量調節弁２１を通って浄化ユニット２０に送られ、ここで溶存オゾンが分解乃至は除去され、更に残存する消毒副生成物が水道水の水質基準値および監視項目指針の判定基準値以下に低減される。かくして、循環浄化水から飲料水が得られる。
【００２１】
このとき、バイパス管１８に設けた流量調節弁１８ａを開けば、オゾン処理された貯溜水（オゾン処理水）の一部がバイパス管１８を通ってエジェクタ１３に循環する。そのため、飲料水の需要量（供給水量）の増減に関係なく、エジェクタ１３に所定量の水を供給し続けることができる。
【００２２】
非常時で電源を確保できない場合は、主循環系路２内のポンプ３が停止するので、戻り弁１６および流量調節弁１８ａを開け、取入れ弁１１を閉じた状態で、非常用発電機１９を作動させる。これにより、貯水部１内の貯溜水がヘアキャッチャ３の上流側から戻り弁１６を通ってオゾン処理装置内へ直接導入される。そして、その導入水はバイパス管１８を通ってオゾン処理部に送られ、更に浄化ユニット２０に送られることにより、飲料水となる。このときも、流量調節弁１８ａの開度調節を行うことにより、エジェクタ１３に所定水量を供給することができる。
【００２３】
電源を確保できるにもかかわらず、主循環系路２内のポンプ３や濾過部４が破損している場合も、戻り弁１６および流量調節弁１８ａを開け、取入れ弁１１を閉じることにより、貯溜水から飲料水を生成することができる。
【００２４】
【発明の効果】
以上に説明した通り、本発明の貯留水浄化設備は、貯留水をオゾン処理するオゾン処理装置がオゾン処理を行う処理装置本体と共に、オゾン処理水を飲料水に浄化する浄化ユニットを備え、且つその浄化ユニットが簡易で安価なため、震災、渇水等の非常時に飲料水を確保できるにもかかわらず、浄化設備の大型化およびコスト増を可及的に回避することができる。また、飲料水を生成する部分がオゾン処理装置と同一メーカとなるので、メンテナンス性の悪化も回避される。
【００２５】
処理装置本体における貯溜水の取入れ部と戻り部との間をバルブ付きのバイパス管により直結した場合は、飲料水の需要量（供給水量）の増減に関係なく、バイパス管を通して処理装置本体内のオゾン処理部に所定量の水を送ることができる。
【００２６】
貯溜水の取入れ部を主循環系統における浄化部の下流側に接続し、戻し部を前記浄化部の上流側に接続した場合は、前記浄化部が停止状態の場合も、浄化部上流側の戻し部からバイパス管を通して貯溜水を処理装置本体内のオゾン処理部および浄化ユニットに直接送ることができるので、飲料水の生成を続けることができる。
【図面の簡単な説明】
【図１】  オゾン処理を組み合わせた従来の貯溜水浄化設備の構成を示す系統図である。
【図２】  本発明を実施した貯留水浄化設備の１例について、そのオゾン処理装置の構造を示す系統図である。
【図３】  浄化ユニットの構成例を示す模式図である。
【符号の説明】
１  貯水部
２  主循環系統
３  ヘアキャッチャ
４  循環ポンプ
５  濾過器
６  オゾン処理装置
１０  処理装置本体
１１  取入れ弁
１２  加圧ポンプ
１３  エジェクタ
１４  気液分離塔
１５  逆止弁
１６  戻り弁
１７  オゾン発生器
１８  バイパス管
１９  非常用発電機
２０  浄化ユニット
２２  活性炭カートリッジ
２３  紫外線発生器
２４  膜フィルタ
【図１】
0003660421.tif 000002
【図２】
0003660421.tif 000003
【図３】
0003660421.tif 000004